(57)【要約】【課題】残余灰を容易且つ低コストで処理が可能な重金属固定化剤の添加量決定装置を提供する。【解決手段】飛灰移送経路２から飛灰Ｈ１を採取する採取部１０と、採取部１０で採取した飛灰Ｈ１から、所定量の秤量灰Ｈ２を秤量する秤量部２０と、所定量の秤量灰Ｈ２を溶媒に溶出させ、溶出水を得る溶出部３０と、溶出水に含まれる重金属の量に基づいて、飛灰Ｈに添加する重金属固定化剤の量を決定する分析・制御部（添加量決定部）４０と、秤量部２０に残存する残余灰Ｈ３（Ｈ１−Ｈ２）を溶出部３０とは異なる場所（飛灰移送経路２）に排出する排出部２４とを備え、排出部２４は、分析・制御部４０によって飛灰Ｈに添加する重金属固定化剤の量が決定された場合であっても、残余灰Ｈ３を溶出部３０とは異なる場所に排出する、飛灰Ｈへの重金属固定化剤の添加量決定装置。【選択図】図１
2018038951.tif 000002
【特許請求の範囲】
【請求項１】
飛灰移送経路から、所定量の飛灰を秤量する秤量部と、
前記所定量の飛灰を溶媒に溶出させ、溶出水を得る溶出部と、
前記溶出水に含まれる所定成分の量に基づいて、前記飛灰に添加する重金属固定化剤の量を決定する添加量決定部と、
前記秤量部に残存する残余灰を前記溶出部とは異なる場所に排出する排出部とを備え、
前記排出部は、前記添加量決定部によって前記飛灰に添加する重金属固定化剤の量が決定された場合であっても、前記残余灰を前記溶出部とは異なる場所に排出する、飛灰への重金属固定化剤の添加量決定装置。
【請求項２】
前記排出部は、前記残余灰を前記飛灰移送経路に排出する、
請求項１に記載の重金属固定化剤の添加量決定装置。
【請求項３】
前記添加量決定部は、前記飛灰移送経路中の飛灰の流量に前記重金属固定化剤の添加率を乗じて、前記重金属固定化剤の添加量を決定する、
請求項１又は２に記載の重金属固定化剤の添加量決定装置。
【請求項４】
前記秤量部は、
飛灰を収容する飛灰収容部と、
前記飛灰収容部内の飛灰を前記溶出部へ供給する供給部と、
前記飛灰収容部から加わる荷重を計量する荷重計量部と、
前記供給部及び前記荷重計量部に電気的に接続される制御部とを含み、
前記制御部は、
前記飛灰収容部の振動情報を受信する振動受信手段と、
前記振動受信手段が振動受信情報を受信中であるか否かを判別する振動受信判別手段と、
前記振動受信判別手段によって受信中でないと判別された場合に、前記荷重計量部に対して風袋引き指令信号を送信する風袋引き指令手段とを有する、
請求項１から３何れかに記載の重金属固定化剤の添加量決定装置。
【請求項５】
前記制御部は、
前記風袋引き指令手段によって風袋引き指令信号が送信された場合に、前記供給部の駆動の開始を指令する駆動開始指令信号を送信する駆動開始指令手段と、
前記駆動開始指令手段によって駆動開始指令信号が送信された場合に、前記荷重計量部からの計量値を取得する計量値取得手段と、
前記計量値取得手段が取得した計量値が所定の減量値に達しているか否かを判別する計量値判別手段と、
前記計量値判別手段によって、前記計量値取得手段が取得した計量値が所定の減量値に達していると判別された場合に、前記供給部の駆動の停止を指令する駆動停止指令信号を送信する駆動停止指令手段と、
前記供給部の駆動停止後、前記振動受信判別手段によって受信中でないと判別された場合に、前記荷重計量部からの計量値を再取得する計量値再取得手段と、
前記計量値再取得手段が取得した計量値が所定の減量値に達しているか否かを判別する計量値再判別手段と、
前記計量値再判別手段によって、前記計量値再取得手段が再取得した計量値が所定の減量値に達していないと判別された場合に、前記駆動開始指令信号を再び送信する駆動開始再指令手段と、
前記計量値再判別手段によって、前記計量値再取得手段が再取得した計量値が所定の減量値に達していると判別された場合に、前記計量値再取得手段による計量値の取得を終了する計量終了手段とをさらに有する、
請求項４に記載の重金属固定化剤の添加量決定装置。
【請求項６】
前記供給部は、スクリューと、前記スクリューの上方に配置されるアジテーターとを有する、請求項４又は５に記載の重金属固定化剤の添加量決定装置。
【請求項７】
前記溶出部は、前記溶出水を収容する溶出槽と、前記溶出槽を閉塞可能な蓋体と、前記蓋体の一部に開口された飛灰投入口と、前記供給部の飛灰供給口と前記飛灰投入口との間の空間を覆うカバーをさらに備え、
前記カバーには、内部に、乾燥空気、温風、又は乾燥温風を吹き込む乾燥手段が設けられている、請求項４から６何れかに記載の重金属固定化剤の添加量決定装置。
【請求項８】
前記溶出部は、前記溶出水を収容する溶出槽と、前記溶出槽を閉塞可能な蓋体と、前記蓋体の一部に開口された吸引口と、前記吸引口から前記溶出槽内の空気を引き抜く吸引手段をさらに備えている、請求項４から７何れかに記載の重金属固定化剤の添加量決定装置。
【請求項９】
前記秤量部は、内部にある飛灰を収容する飛灰収容部を有し、
前記飛灰収容部の前記飛灰と接触する部材の少なくとも一部には、フッ素樹脂加工が施されてなる、請求項１から８何れかに記載の重金属固定化剤の添加量決定装置。
【請求項１０】
前記飛灰移送経路から所定量の飛灰を採取し、前記秤量部に供給する採取部をさらに備える、請求項１から９何れかに記載の重金属固定化剤の添加量決定装置。
【請求項１１】
前記採取部の前記飛灰と接触する部材の少なくとも一部には、フッ素樹脂加工が施されてなる、請求項１０に記載の重金属固定化剤の添加量決定装置。
【請求項１２】
前記採取部は、内部に、乾燥空気、温風、又は乾燥温風を吹き込む乾燥手段を有する、請求項１０又は１１に記載の重金属固定化剤の添加量決定装置。
【請求項１３】
前記採取部は、前記採取部を揺動するバイブレーターをさらに含む、請求項１０から１２何れかに記載の重金属固定化剤の添加量決定装置。
【発明の詳細な説明】
【技術分野】
【０００１】
本発明は、飛灰中の重金属を無害化する処理を行うために、飛灰への重金属固定化剤の適正添加量を決定する添加量決定装置に関するものである。
【背景技術】
【０００２】
廃棄物を焼却した際に発生する飛灰には、重金属が多量に含まれているので、飛灰を廃棄処分するには、重金属の無害化処理が必要となる。重金属を無害化するには、集められた飛灰に重金属固定化剤を添加し、これを混練機により加湿混練するのが一般的である。この場合、飛灰の性状（重金属含有量等）は、焼却物の種類等によって大きく変化するので、飛灰に添加する重金属固定化剤の量も、飛灰の性状に合わせて変える必要がある。このため、重金属固定化剤の添加量決定装置は、飛灰を所定のタイミングで採取し、これを分析することにより適正な重金属固定化剤の添加量を決定している。
【０００３】
重金属固定化剤の添加量決定装置は、一般に、飛灰移送経路を介して供給される飛灰から、所定量の飛灰を秤量する秤量部と、所定量の飛灰を水等の溶媒に溶出させ、溶出水を得る溶出部と、溶出水に含まれる重金属の量に基づいて、飛灰に添加する重金属固定化剤の量を決定する添加量決定部とから構成される。
【０００４】
特許文献１には、添加量決定部によって飛灰に添加する重金属固定化剤の量を決定した後、秤量部に残存する残余灰を溶出部の溶出水中に排出し、飛灰移送経路を介して供給された飛灰の全て（秤量灰＋残余灰）が溶出された溶出水を溶出部から排出する飛灰処理方法が開示されている。
【先行技術文献】
【特許文献】
【０００５】
【特許文献１】特開平１１−１９７６２８号公報
【発明の概要】
【発明が解決しようとする課題】
【０００６】
しかしながら、特許文献１に開示される飛灰処理方法によれば、飛灰移送経路を介して供給された飛灰の全てが溶出部に供給されるため、溶出部から排出される溶出水の飛灰濃度が極めて高くなる。そのため、溶出部では、溶出水を収容する溶出槽へ飛灰が付着しやすく、排水弁が飛灰により閉塞したり、排水経路が飛灰により閉塞したりしてしまう。その結果、溶出槽を洗浄するための水量が多く必要になったり、排水を処理する装置が別途必要になったりする等、通常の飛灰処理系とは異なる系で飛灰を処理しなければならず、手間やコストを要する。
【課題を解決するための手段】
【０００７】
本発明者らは、上述した課題を解決するために鋭意検討を重ねた結果、残余灰を溶出部とは異なる場所に排出することにより、溶出部の溶出水の飛灰濃度を高めることなく、残余灰を通常の飛灰処理と同様に処理できることを見出し、本発明を完成するに至った。より具体的には、本発明は、以下のようなものを提供する。
【０００８】
（１）本発明は、飛灰移送経路から、所定量の飛灰を秤量する秤量部と、前記所定量の飛灰を溶媒に溶出させ、溶出水を得る溶出部と、前記溶出水に含まれる重金属の量に基づいて、前記飛灰に添加する重金属固定化剤の量を決定する添加量決定部と、前記秤量部に残存する残余灰を前記溶出部とは異なる場所に排出する排出部とを備え、前記排出部は、前記添加量決定部によって前記飛灰に添加する重金属固定化剤の量が決定された場合であっても、前記残余灰を前記溶出部とは異なる場所に排出する、飛灰への重金属固定化剤の添加量決定装置である。
【０００９】
（２）また、本発明は、前記排出部は、前記残余灰を前記飛灰移送経路に排出する、（１）に記載の重金属固定化剤の添加量決定装置である。
【００１０】
（３）また、本発明は、前記添加量決定部は、前記飛灰移送経路中の飛灰の流量に前記重金属固定化剤の添加率を乗じて、前記重金属固定化剤の添加量を決定する、（１）又は（２）に記載の重金属固定化剤の添加量決定装置である。
【００１１】
（４）また、本発明は、前記秤量部は、飛灰を収容する飛灰収容部と、前記飛灰収容部内の飛灰を前記溶出部へ供給する供給部と、前記飛灰収容部から加わる荷重を計量する荷重計量部と、前記供給部及び前記荷重計量部に電気的に接続される制御部とを含み、前記制御部は、前記飛灰収容部の振動情報を受信する振動受信手段と、前記振動受信手段が振動受信情報を受信中であるか否かを判別する振動受信判別手段と、前記振動受信判別手段によって受信中でないと判別された場合に、前記荷重計量部に対して風袋引き指令信号を送信する風袋引き指令手段とを有する、（１）から（３）何れかに記載の重金属固定化剤の添加量決定装置である。
【００１２】
（５）また、本発明は、前記制御部は、前記風袋引き指令手段によって風袋引き指令信号が送信された場合に、前記供給部の駆動の開始を指令する駆動開始指令信号を送信する駆動開始指令手段と、前記駆動開始指令手段によって駆動開始指令信号が送信された場合に、前記荷重計量部からの計量値を取得する計量値取得手段と、前記計量値取得手段が取得した計量値が所定の減量値に達しているか否かを判別する計量値判別手段と、前記計量値判別手段によって、前記計量値取得手段が取得した計量値が所定の減量値に達していると判別された場合に、前記供給部の駆動の停止を指令する駆動停止指令信号を送信する駆動停止指令手段と、前記供給部の駆動停止後、前記振動受信判別手段によって受信中でないと判別された場合に、前記荷重計量部からの計量値を再取得する計量値再取得手段と、前記計量値再取得手段が取得した計量値が所定の減量値に達しているか否かを判別する計量値再判別手段と、前記計量値再判別手段によって、前記計量値再取得手段が再取得した計量値が所定の減量値に達していないと判別された場合に、前記駆動開始指令信号を再び送信する駆動開始再指令手段と、前記計量値再判別手段によって、前記計量値再取得手段が再取得した計量値が所定の減量値に達していると判別された場合に、前記計量値再取得手段による計量値の取得を終了する計量終了手段とをさらに有する、（４）に記載の重金属固定化剤の添加量決定装置である。
【００１３】
（６）また、本発明は、前記供給部は、スクリューと、前記スクリューの上方に配置されるアジテーターとを有する、（４）又は（５）に記載の重金属固定化剤の添加量決定装置である。
【００１４】
（７）また、本発明は、前記溶出部は、前記溶出水を収容する溶出槽と、前記溶出槽を閉塞可能な蓋体と、前記蓋体の一部に開口された飛灰投入口と、前記供給部の飛灰供給口と前記飛灰投入口との間の空間を覆うカバーをさらに備え、前記カバーには、内部に、乾燥空気、温風、又は乾燥温風を吹き込む乾燥手段が設けられている、（４）から（６）何れかに記載の重金属固定化剤の添加量決定装置である。
【００１５】
（８）また、本発明は、前記溶出部は、前記溶出水を収容する溶出槽と、前記溶出槽を閉塞可能な蓋体と、前記蓋体の一部に開口された吸引口と、前記吸引口から前記溶出槽内の空気を引き抜く吸引手段をさらに備えている、（４）から（７）何れかに記載の重金属固定化剤の添加量決定装置である。
【００１６】
（９）また、本発明は、前記秤量部は、内部にある飛灰を収容する飛灰収容部を有し、前記飛灰収容部の前記飛灰と接触する部材の少なくとも一部には、フッ素樹脂加工が施されてなる、（１）から（８）何れかに記載の重金属固定化剤の添加量決定装置である。
【００１７】
（１０）また、本発明は、前記飛灰移送経路から所定量の飛灰を採取し、前記秤量部に供給する採取部をさらに備える、（１）から（９）何れかに記載の重金属固定化剤の添加量決定装置である。
【００１８】
（１１）また、本発明は、前記採取部の前記飛灰と接触する部材の少なくとも一部には、フッ素樹脂加工が施されてなる、（１０）に記載の重金属固定化剤の添加量決定装置である。
【００１９】
（１２）また、本発明は、前記採取部は、内部に、乾燥空気、温風、又は乾燥温風を吹き込む乾燥手段を有する、（１０）又は（１１）に記載の重金属固定化剤の添加量決定装置である。
【００２０】
（１３）また、本発明は、前記採取部は、前記採取部を揺動するバイブレーターをさらに含む、（１０）から（１２）何れかに記載の重金属固定化剤の添加量決定装置である。
【発明の効果】
【００２１】
本発明によれば、残余灰を容易且つ低コストで処理が可能な重金属固定化剤の添加量決定装置を提供できる。
【図面の簡単な説明】
【００２２】
【図１】重金属固定化剤の添加量決定装置を含む飛灰処理装置の構成を示す構成図である。
【図２】重金属固定化剤の添加量決定装置の採取部の構成を示す構成図である。
【図３】重金属固定化剤の添加量決定装置の秤量部の構成を示す構成図である。
【図４】（ａ）は秤量部のホッパー部内のアジテーターの回転の推移を示し、ホッパー部を上方から見た場合のアジテーターの形状を示す上面図であり、（ｂ）は秤量部のホッパー部内のアジテーターの回転の推移を示す模式図である。
【図５】秤量部の内部の様子を説明する模式図である。
【図６】制御部の構成を示すブロック図である。
【図７】計量手順の一例を説明するフローチャートである。
【図８】溶出部の構成の一部を示す要部拡大模式図である。
【図９】別の飛灰処理装置の構成を示す構成図である。
【発明を実施するための形態】
【００２３】
以下、本発明の具体的な実施形態について詳細に説明するが、本発明は以下の実施形態に何ら限定されるものではなく、本発明の目的の範囲内において、適宜変更を加えて実施することができる。
【００２４】
図１は、本実施形態に係る重金属固定化剤の添加量決定装置１を含む飛灰処理装置の構成を示す構成図である。図１に示すように、飛灰処理装置は、図示しない飛灰サイロから飛灰Ｈを下方に移送する飛灰移送経路２と、飛灰移送経路２から飛灰Ｈ１を採取し、飛灰Ｈへの重金属固定化剤の添加量を決定する添加量決定装置１と、飛灰Ｈと重金属固定化剤を含む飛灰処理薬液とを混練する混練機３と、飛灰処理薬液を収容する飛灰処理薬液タンク４と、飛灰処理薬液タンク４から所定量の飛灰処理薬液を混練機３に投入する薬注ポンプ５とを備える。
【００２５】
通常、飛灰サイロに貯留される飛灰Ｈは、略円筒状に形成される飛灰移送経路２を介して混練機３に一定の流量で供給される。混練機３内の飛灰Ｈには、後述するように、飛灰処理薬液タンク４から薬注ポンプ５を介して所定量の飛灰処理薬液が添加される。そして、飛灰Ｈと飛灰処理薬液とは、混練機３により加湿混練され、飛灰Ｈ中の重金属の溶出が抑えられた状態（無害化された状態）で、混練機３から順次排出され、その後廃棄処分される。
【００２６】
一方、飛灰Ｈ中の重金属の性状（種類や含有量）は、焼却される廃棄物の種類によって変化するので、飛灰Ｈ中に添加される重金属固定化剤の量も変える必要がある。このため、添加量決定装置１は、所定のタイミングで飛灰移送経路２から所定量の飛灰Ｈ１を採取し、この飛灰Ｈ１の分析結果に基づき、飛灰Ｈに対する重金属固定化剤の適正な添加量を決定する。
【００２７】
＜添加量決定装置１＞
以下、添加量決定装置１について詳細に説明する。添加量決定装置１は、図１に示すように、飛灰移送経路２から飛灰Ｈ１を採取する採取部１０と、採取部１０で採取した飛灰Ｈ１から一定量を秤量する秤量部２０と、秤量部２０で秤量した秤量灰Ｈ２を溶出槽３１内の水に溶出させ、溶出水を得る溶出部３０と、溶出水に含まれる所定成分の量に基づいて、飛灰Ｈに添加する重金属固定化剤の添加量を決定する添加量決定部である分析・制御部４０とを備える。
【００２８】
［採取部１０］
図２は、採取部１０の構成を説明する構成図である。採取部１０は、図２に示すように、飛灰移送経路２の側方に取り付けられた箱状の退避部１１と、退避部１１内とつながるように退避部１１の下部に取り付けられ、飛灰Ｈを秤量部２０に案内する漏斗状の案内部１２と、飛灰移送経路２内の飛灰Ｈを採取するカップ１３と、カップ１３を飛灰移送経路２内と退避部１１内とに進退させるエアシリンダー１４と、エアシリンダー１４の先に取り付けられ、カップ１３を回転させるロータリーアクチュエーター１５とを含む。
【００２９】
採取部１０は、エアシリンダー１４を伸ばして、飛灰移送経路２のうち飛灰Ｈが自由落下する位置にカップ１３を挿入し、飛灰Ｈ１をカップ１３内に採取する。また、採取部１０は、エアシリンダー１４を縮めてカップ１３を案内部１２の上部へ位置させ、ロータリーアクチュエーター１５を１８０度回転してカップ１３を下向きに位置させ、飛灰Ｈ１を案内部１２へ投入する。案内部１２に投入された飛灰Ｈ１は、重力に従って落下し、秤量部２０へ落とし込まれる。
【００３０】
案内部１２の内壁に飛灰Ｈ１が固着するのを防止する観点から、案内部１２の内壁には、剥離性のよい材料による表面処理、例えばフッ素樹脂加工を施してもよい。また、案内部１２の内壁に飛灰Ｈ１が固着するのを防止する観点から、案内部１２の外壁にバイブレーター１６を設置してもよい。バイブレーター１６は、案内部１２を振動させ、案内部１２の内壁に飛灰Ｈ１が固着するのを防止することができる。また、案内部１２に飛灰Ｈ１が固着するのを防止する観点から、退避部１１の側方に、退避部１１に連通する乾燥手段たる吹き込み口１７を設置してもよい。吹き込み口１７を介して、退避部１１の内部に乾燥空気、温風、又は乾燥温風Ａを吹き込むことにより、飛灰Ｈ１同士が固着、又は案内部１２の内壁に飛灰Ｈ１が固着するのを防止し、案内部１２の排出口が飛灰Ｈ１により塞がれるのを防止することができる。
【００３１】
さらに、採取部１０と飛灰移送経路２との接続部からは、飛灰Ｈが飛散しないように、且つ採取部１０の振動が飛灰移送経路２を通じて、後述する秤量部２０等に伝達しないようにすることが好ましい。例えば、飛灰移送経路２に、採取部１０のカップ１３、ロータリーアクチュエーター１５が貫通する開口部を設け、採取部１０と飛灰移送経路２の開口部との隙間を、伸縮可能な樹脂製のジャバラ、又は布により塞ぐとよい。
【００３２】
［秤量部２０］
図３は、秤量部２０の構成を説明する構成図である。秤量部２０は、図３に示すように、採取部１０と連通し、採取部１０からの飛灰Ｈ１を受け入れる飛灰収容部であるホッパー部２１と、ホッパー部２１から加わる荷重を計量する荷重計量部であるロードセル２２と、秤量部２０の各部材と電気的に接続される制御部２７とを含む。
【００３３】
（ホッパー部２１）
ホッパー部２１は、採取した飛灰Ｈ１の一部（秤量灰Ｈ２）を溶出部３０へ供給する供給部２３と、後述するように、採取した飛灰Ｈ１のうち、溶出部３０に供給されず残存する残余灰Ｈ３（Ｈ１−Ｈ２）を溶出部３０と異なる場所に排出する排出手段である排出部２４と、ホッパー部２１内の飛灰Ｈ１を撹拌するアジテーター２５とを有する。ホッパー部２１の内壁に飛灰Ｈ１が固着するのを防止する観点から、ホッパー部２１の内壁には、剥離性のより材料による表面処理、例えばフッ素樹脂加工を施してもよい。
【００３４】
（ロードセル２２）
ロードセル２２は、ホッパー部２１から加わる荷重を計量することにより、供給スクリュー２３ｂにより溶出槽３１内に供給された秤量灰Ｈ２の量を減量重量制御式で秤量する。ロードセル２２による減量重量制御式は、誤差の少ない高精度の連続的定流量制御が可能な点で、且つ飛灰Ｈ１の飛散を防止しやすい点で、優れた秤量方式である。なお、ロードセル２２は、架台２６に載置され、供給ノズル２３ａの排出口が溶出槽３１の上方にくるように、その高さ位置が調整されている。
【００３５】
（供給部２３）
供給部２３は、ホッパー部２１から溶出槽３１の上方に延設される略筒状の飛灰供給口たる供給ノズル２３ａと、ホッパー部２１から供給ノズル２３内に延設される供給スクリュー２３ｂと、供給スクリュー２３ｂを回転駆動するモーターＭ１とを有する。後述するように、供給部２３では、所定のタイミングでモーターＭ１が駆動され、供給スクリュー２３ｂが所定時間一定速度で正回転し、採取部１０から飛灰Ｈ１を切り出す。採取部１０から切り出された飛灰Ｈ１は、その一部が、秤量灰Ｈ２として供給ノズル２３ａを介して溶出部３０に供給される。
【００３６】
（排出部２４）
排出部２４は、ホッパー部２１から飛灰移送経路２内に延設される略筒状の排出ノズル２４ａと、ホッパー部２１から排出ノズル２４ａ内に延設される排出スクリュー２４ｂと、排出スクリュー２４ｂを回転駆動するモーターＭ２とを有する。後述するように、排出部２４では、所定のタイミングでモーターＭ２が駆動され、排出スクリュー２４ｂが所定時間一定速度で正回転し、ホッパー部２１内に残留する残余灰Ｈ３を、飛灰移送経路２に排出する。飛灰移送経路２に排出された残余灰Ｈ３は、飛灰Ｈと共に混練機３に移送される。
【００３７】
秤量灰Ｈ２の量は、精度よく秤量しなければいけないため、供給スクリュー２３ｂのスクリュー径は、ある程度小さいことが好ましい。一方、ホッパー部２１内に供給された飛灰Ｈ１のうち、秤量灰Ｈ２の量よりも、外部に排出される残余灰Ｈ３の量の方が多い。よって、排出に要する時間を短縮するために、排出スクリュー２４ｂのスクリュー径は、ある程度大きいことが好ましい。
【００３８】
さらに、秤量部２０と飛灰移送経路２との接続部からは、飛灰Ｈが飛散しないようにすることが好ましい。例えば、飛灰移送経路２に、秤量部２０の排出ノズル２４ａが貫通する開口部を設け、秤量部２０と飛灰移送経路２の開口部との隙間を、伸縮可能な樹脂製のジャバラ又は布により塞ぐとよい。
【００３９】
ここで、ホッパー部２１内に残留する残余灰Ｈ３は、排出部２４によって外部（飛灰移送経路２）に排出されることから、添加量決定装置１が飛灰Ｈ１を再度採取しても、ホッパー部２１内で新たな飛灰Ｈと、以前の飛灰Ｈ１とが混ざり合うのを防止することができる。また、後述するように、残余灰Ｈ３は、飛灰移送経路２内に排出され、飛灰Ｈを処理する通常の飛灰処理系と同じ系で処理が可能なことから、手間やコストを要しない。
【００４０】
なお、供給部２３、排出部２４としては、上述した供給スクリュー２３ｂ、排出スクリュー２４ｂのようなスクリューフィーダ式に制限されず、オーガ式フィーダ等を採用してもよい。中でも、粉体を一定流量で連続的に搬送でき、搬送方向を容易に変更できることから、供給部２３は、スクリューフィーダであることが好ましい。
【００４１】
また、本実施形態では、供給スクリュー２３ｂと排出スクリュー２４ｂの２本のスクリューを備える構成について説明したが、１本のスクリューで、供給スクリューと排出スクリューの機能を兼ね備えていてもよい。その場合は、１本のスクリューが正回転又は逆回転することにより、飛灰の移送方向を制御すればよい。
【００４２】
（アジテーター２５）
アジテーター２５は、平板状の回転部材であり、モーターＭ３により回転する。図４（ａ）はホッパー部２１内のアジテーター２５の回転の推移を示し、ホッパー部２１を上方から見た場合のアジテーターの形状を示す上面図であり、（ｂ）はホッパー部２１内のアジテーター２５の回転の推移を示す模式図である。アジテーター２５は、図４（ａ）（ｂ）に示すように、供給スクリュー２３ｂの上方で回転することにより、ホッパー部２１内の飛灰Ｈ１を撹拌して飛灰Ｈ１同士が固着するのを防止し、供給スクリュー２３ｂや排出スクリュー２４ｂに飛灰Ｈ１を供給する。ホッパー部２１内にアジテーター２５が設置されない場合には、図５に示すように、ホッパー部２１内の飛灰Ｈ１が固着してブリッジを形成し、供給スクリュー２３ｂによる飛灰Ｈ１の供給や、排出スクリュー２４ｂによる排出が行われなくなる虞がある。なお、アジテーター２５の形状は、ホッパー部２１内の飛灰Ｈ１を撹拌できる形状であれば、図４に示す平板状のアジテーターに限定されず、パドル形の撹拌部材等であってもよい。
【００４３】
ホッパー部２１内の残余灰Ｈ３を確実に排出する点からは、排出スクリュー２４ｂの回転と同時に又は前後して、供給スクリュー２３ｂを逆回転させ、供給スクリュー２３ｂ内に残存する残余灰Ｈ３を排出スクリュー２４ｂへ落とし込むとよい。このとき、供給スクリュー２３ｂの上部のアジテーター２５を回転させ、残余灰Ｈ３を撹拌しながら供給スクリュー２３ｂを回転させると、排出部２４によって、よりスムーズに残余灰Ｈ３を排出できる。
【００４４】
（制御部２７）
制御部２７は、秤量部２０で飛灰Ｈ１を精度よく秤量すべく、ロードセル２２をはじめとする各部材と電気的に接続される。
【００４５】
通常、飛灰Ｈの処理を行う装置には、飛灰Ｈの固着を防止するために、飛灰移送経路２等にバイブレーター（図示せず）が設置されている。例えば、このようなバイブレーターは、数分おきに数秒稼働する等の動作をしている。そのため、バイブレーターが稼働しているときに、ロードセル２２で風袋引きをすると、振動の影響によりロードセル２２の秤量値が大きな誤差を含んでしまう。その結果、秤量部２０の制御部２７では、結果的に秤量異常の判別がなされる。また、秤量部２０で供給スクリュー２３ｂによる飛灰Ｈ１の切り出し計量中にバイブレーターが稼働すると、ロードセル２２の計量値が大きな誤差を含んでしまう。その結果、制御部２７が所定の重量に達したと誤って判断し、供給スクリュー２３ｂに対して、駆動停止信号を送信してしまう。このため、ロードセル２２がバイブレーター等の振動の影響を受けないようにする必要がある。
【００４６】
図６は、制御部２７の構成を示すブロック図である。秤量部２０において、制御部２７は、ホッパー部２１の振動情報を受信する振動受信手段２７Ａと、振動受信手段２７Ａが振動受信情報を受信中であるか否かを判別する振動受信判別手段２７Ｂと、振動受信判別手段２７Ｂによって受信中でないと判別された場合に、ロードセル２２に対して風袋引き指令信号を送信する風袋引き指令手段２７Ｃとを有することが好ましい。また、制御部２７は、後述する駆動開始指令手段２７Ｄ、計量値取得手段２７Ｅ、計量値判別手段２７Ｆ、駆動停止指令手段２７Ｇ、計量値再取得手段２７Ｈ、計量値再判別手段２７Ｉ、駆動開始再指令手段２７Ｊ、計量終了手段２７Ｋを有することが好ましい。
【００４７】
（振動受信手段２７Ａ）
振動受信手段２７Ａは、飛灰移送経路２等に設置されるバイブレーターからの稼働信号（振動情報）を受信する。また、採取部１０が案内部１２を振動させるバイブレーター１６を含む場合には、振動受信手段２７Ａは、バイブレーター１６からの稼働信号（振動情報）をさらに受信してもよく、秤量部２０がホッパー部２１の振動を検出する振動計を含む場合には、振動受信手段２７Ａは、振動計からの振動情報をさらに受信してもよい。
【００４８】
（振動受信判別手段２７Ｂ）
振動受信判別手段２７Ｂは、振動受信手段２７Ａが振動受信情報を受信中であるか否かを判別する。
【００４９】
（風袋引き指令手段２７Ｃ）
風袋引き指令手段２７Ｃは、振動受信判別手段２７Ｂによって振動情報を受信中でないと判別された場合に、ロードセル２２に対して、風袋引き指令信号を送信する。ロードセル２２は、風袋引き指令信号を受信すると、採取部１０から落し込まれた飛灰Ｈ１を含むホッパー部２１の初期重量を計量し、風袋引きを行う。
【００５０】
（駆動開始指令手段２７Ｄ）
駆動開始指令手段２７Ｄは、風袋引き指令手段２７Ｃによって風袋引き指令信号が送信された場合に、供給部２３のモーターＭ１に、駆動の開始を指令する駆動開始指令信号を送信し、供給スクリュー２３ｂを正回転させる。
【００５１】
（計量値取得手段２７Ｅ）
計量値取得手段２７Ｅは、駆動開始指令手段２７Ｄによって駆動開始指令信号が送信された場合に、ロードセル２２からの計量値を所定の間隔で取得する。
【００５２】
（計量値判別手段２７Ｆ）
計量値判別手段２７Ｆは、計量値取得手段２７Ｅが取得した計量値が所定の減量値に達しているか否かを判別する。
【００５３】
（駆動停止指令手段２７Ｇ）
駆動停止指令手段２７Ｇは、計量値判別手段２７Ｆによって、計量値取得手段２７Ｅが取得した計量値が所定の減量値に達していると判別された場合に、供給部２３のモーターＭ１に駆動を停止する駆動停止信号を送信し、供給スクリュー２３ｂの回転を停止させる。
【００５４】
（計量値再取得手段２７Ｈ）
計量値再取得手段２７Ｈは、モーターＭ１（供給スクリュー２３ｂ）の駆動停止後、振動受信判別手段２７Ｂによって受信中でないと判別された場合に、ロードセル２２からの計量値を再取得する。
【００５５】
（計量値再判別手段２７Ｉ）
計量値再判別手段２７Ｉは、計量値再取得手段２７Ｈが取得した計量値が所定の減量値に達しているか否かを判別する。
【００５６】
（駆動開始再指令手段２７Ｊ）
駆動開始再指令手段２７Ｊは、計量値再判別手段２７Ｉによって、計量値再取得手段２７Ｈが再取得した計量値が所定の減量値に達していないと判別された場合に、駆動開始指令信号を再び送信する。
【００５７】
（計量終了手段２７Ｋ）
計量終了手段２７Ｋは、計量値再判別手段２７Ｉによって、計量値再取得手段２７Ｈが再取得した計量値が所定の減量値に達していると判別された場合に、計量値再取得手段２７Ｈによる計量値の取得を終了する。
【００５８】
以下、秤量部２０による秤量方法について、図７に示すフローチャートに基に説明する。
【００５９】
まず、制御部２７において、計量開始トリガを受けたタイミングで（ステップＳ１）、振動受信判別手段２７Ｂは、振動受信手段２７Ａがバイブレーターからの稼働信号（バイブレーター１６や振動計からの振動情報等を含んでもよい）を受信したか否かを判別する（ステップＳ２）。ステップＳ２でＮｏの場合、制御部２７は、処理をステップＳ３に移す。一方、ステップＳ２でＹｅｓの場合、制御部２７は、ステップＳ２に戻る。
【００６０】
振動受信手段２７Ａがバイブレーターからの稼働信号（振動情報）を受信していないと判別した場合（ステップＳ２でＮｏの場合）、風袋引き指令手段２７Ｃは、ロードセル２２に対して風袋引き指令信号を送信し、ロードセル２２に対して風袋引きを行うことを指令する（ステップＳ３）。
【００６１】
次いで、駆動開始指令手段２７Ｄは、風袋引き指令手段２７Ｃからの風袋引き指令信号に応じて、供給部２３のモーターＭ１に対して、供給スクリュー２３ｂの駆動開始を指令する駆動開始指令信号を送信する。これにより、ホッパー部２１から飛灰Ｈ１の切り出しが開始される（ステップＳ４）。ロードセル２２は、ホッパー部２１からの荷重の減量値を計量する。
【００６２】
次いで、計量値取得手段２７Ｅは、ロードセル２２から計量結果を示す信号（計量値）を取得する（ステップＳ５）。
【００６３】
次いで、計量値判別手段２７Ｆは、計量値取得手段２７Ｅが取得したロードセル２２の計量値が所定の減量値（溶出水の調製に必要な飛灰Ｈ２の重量）に達したか否かを判別する（ステップＳ６）。ステップＳ６でＹｅｓの場合、制御部２７は、処理をステップＳ７に移す。一方、ステップＳ６でＮｏの場合、制御部２７は、処理をステップＳ６に戻る。
【００６４】
計量値判別手段２７Ｆによって計量値取得手段２７Ｅが取得した計量値が所定の減量値に達していると判別された場合（ステップＳ６でＹｅｓ）、駆動停止指令手段２７Ｇは、供給部２３のモーターＭ１の駆動停止を指令する駆動停止指令信号を送信する。モーターＭ１は、駆動停止指令信号を受信したことに応じて、供給スクリュー２３ｂによる切り出しを停止する（ステップＳ７）。
【００６５】
次いで、振動受信判別手段２７Ｂは、駆動停止指令手段２７Ｇからの駆動停止指令信号に応じて、振動受信手段２７Ａが振動情報を受信したか否かを判別する（ステップＳ８）。ステップＳ８でＮｏの場合、制御部２７は、処理をステップＳ９に移す。一方、ステップＳ８でＹｅｓの場合、振動受信判別手段２７Ｂは、処理をステップＳ８に戻る。
【００６６】
振動受信判別手段２７Ｂによって、振動受信手段２７Ａが振動情報を受信していないと判別された場合（ステップＳ８でＮｏの場合）、計量値再取得手段２７Ｈは、ロードセル２２からの計量結果を示す信号（計量値）を再取得する（ステップＳ９）。
【００６７】
次いで、計量値再判別手段２７Ｉは、計量値再取得手段２７Ｈが再取得した計量値が所定の減量値に達しているか否かを判別する（ステップＳ１０）。ステップＳ１０でＹｅｓの場合、制御部２７は処理をステップＳ１１に移す。一方、ステップＳ１０でＮｏの場合、制御部２７は、処理をステップＳ４に戻る。
【００６８】
計量値再判別手段２７Ｉによって計量値再取得手段２７Ｈが取得した計量値が所定の減量値に達していると判別した場合（ステップＳ１０でＹｅｓ）、制御部２７は、計量を終える（ステップＳ１１）。
【００６９】
次いで、制御部２７は、分析・制御部４０から分析終了の終了信号を受信したか否かを判別する（ステップＳ１２）。この処理は、制御部２７が分析・制御部４０から分析終了信号を受信したか否かを判別することによって行われる。ステップＳ１２の処理において、分析・制御部４０での分析が終了したと制御部２７が判別した場合（ステップＳ１２でＹｅｓ）、制御部２７は、処理をステップＳ１３に移す。一方、ステップＳ１２の処理において、分析・制御部４０での分析が終了していないと制御部２７が判別した場合（ステップＳ１２でＮｏ）、制御部２７は、処理をステップＳ１２に戻る。
【００７０】
分析・制御部４０での分析が終了したと制御部２７が判別した場合（ステップＳ１２でＹｅｓ）、制御部２７は、排出部２４のモーターＭ２に対して駆動開始指令信号を送信して、排出スクリュー２４ｂを回転させ、ホッパー部２１から残余灰Ｈ３を所定の場所に排出する（ステップＳ１３）。
【００７１】
一方、ステップＳ１２の処理において、分析・制御部４０での分析が終了していないと制御部２７が判別した場合（ステップＳ１２でＮｏ）、駆動開始指令手段２７Ｄは、再度供給部２３のモーターＭ１に対して、供給スクリュー２３ｂの駆動開始を指令する駆動開始指令信号を送信する（ステップＳ４）。そして、上述したように、計量値再取得手段２７Ｈが再取得した計量値が所定の減量値に達するまで（ステップＳ１０でＹｅｓ）、ステップＳ４からステップＳ１０を繰り返す。
【００７２】
このように、飛灰経路２に設置されたバイブレーターが稼働していない場合にロードセル２２の風袋引きを行うときは、バイブレーターが稼働している場合に風袋引きを行うときに比べ、風袋引きエラー率が、９０％から５％に減少した。同様に、バイブレーターが稼働していない場合にロードセル２２での計量値を確認しながら計量を行うときには、バイブレーターが稼働している場合に計量を行うときに比べ、計量エラー率も６０％から３％に減少した。
【００７３】
また、ホッパー部２１の振動を検出する振動計が振動を検出していない場合にロードセル２２の風袋引きを行うときには、振動計が振動を検出している場合に風袋引きを行うときに比べ、風袋引きエラー率が、９０％から０％に減少した。同様に、振動計が振動を検出していない場合にロードセル２２での計量値を確認しながら計量を行うときには、振動計が振動を検出している場合に計量を行うときに比べ、計量エラー率も６０％から０％に減少した。
【００７４】
また、秤量部２０においては、ロードセル２２を固定する架台２６の足の下に防振ゴム２８を敷いてもよい（図１参照）。このように、防振ゴム２８を設置し、風袋引きを行う場合には、防振ゴムを設置しない場合に比べ、風袋引きエラー率が、９０％から３０％に減少し、計量エラー率も６０％から２０％に減少した。
【００７５】
溶出部３０への飛灰Ｈ１の供給量を計量する計量方法としては、上述したロードセル２２による減量重量制御式に限られず、以下の方法によってもよい。例えば、本実施形態で採用される計量方法は、ホッパー部内の供給スクリューを一定の回転で作動させることにより飛灰供給量を推定する、いわゆる容積式であってもよい。容積式の計量方法は、装置の構成が簡易であるが、ホッパー部内の飛灰量を一定の容積に保つことが必要となる。また、本実施形態で採用される計量方法は、ベルト上の飛灰の重量とベルト速度とを検出して供給量を積算し、所定の供給量と一致するようにベルト速度を制御する、いわゆるベルト式であってもよい。また、本実施形態で採用される計量方法は、装置でホッパー部に飛灰を投入し、ホッパー部の重量が所定の重量に達した時点で飛灰の投入を停止し、ホッパー部２１内の飛灰を供給する、いわゆるホッパースケールであってもよい。計量精度の点では、減量重量制御式による計量方法が好ましい。
【００７６】
［溶出部３０］
図８は、溶出槽と飛灰投入口付近の構成を説明する模式図である。溶出部３０は、飛灰投入口３２ａを有する蓋体３２によって閉塞される溶出槽３１、所定量の秤量灰Ｈ２に応じた溶媒（水等）を供給する溶媒供給部、溶出槽３１内の溶媒と秤量灰Ｈ２とを撹拌する撹拌機等を備え、分析・制御部４０に供給する溶出水を調製する。また、溶出部３０は、溶出槽３１内の溶出水のｐＨを測定するｐＨ電極や、各種金属イオンのイオン濃度を測定するイオン電極等のセンサーが設置されていてもよい。
【００７７】
溶出部３０では、予め所定量の溶媒（水等）が溶媒供給部から溶出槽３１内に供給され、所定量の秤量灰Ｈ２が供給ノズル２３ａから飛灰投入口３２ａを介して溶出槽３１内に投入され、溶媒と秤量灰Ｈ２とが撹拌機により撹拌されて混合されて溶出水が調製される。溶出部３０は、調製した溶出水の内、所定量の溶出水を分析用試料として分析・制御部４０に供給する。溶出部３０は、分析・制御部４０で分析を終了した時点で、残った溶出水を排水し洗浄ノズルから洗浄水を注入し溶出槽３１内を洗浄する。排水された溶出水と洗浄水は、混練機３で加湿水として飛灰処理に利用してもよい。
【００７８】
図８に示すように、秤量灰Ｈ２は、供給ノズル２３ａから飛灰投入口３２ａを介して溶出槽３１内に投入される。しかしながら、溶出槽３１への秤量灰Ｈ２の投入により、溶出槽３１の溶媒が飛灰投入口３２ａから跳ねて供給ノズル２３ａの先端に付着したり、湿気による結露が供給ノズル２３ａに発生したりして、供給ノズル２３ａの先端に秤量灰Ｈ２が固着してしまう場合がある。そこで、例えば、供給ノズル２３ａへの秤量灰Ｈ２の固着を防止する点から、飛灰投入口３２ａの上方に、供給ノズル２３ａと飛灰投入口３２ａとの間の空間を覆うように、飛灰投入口３２ａの径と略同等の径を有する略筒状のカバー３３を設け、カバー３３の上方に設置した乾燥手段たる吹き込み口３４を介してカバー３３の内部に乾燥空気、温風、又は乾燥温風Ａを吹き込んでもよい。供給ノズル２３ａの先端は、カバー３３に開けた開口部３３ａからカバー３３内に挿入するとよい。また、供給ノズル２３ａへの秤量灰Ｈ２の固着を防止する点から、溶出槽３１の蓋体３２に空気吸引口３５を設け、吸引手段（図示せず）により溶出槽３１内の湿潤した空気Ｂを引き抜くことで、飛灰投入口３２ａから湿潤した空気が上がってこないようにしてもよいし、供給ノズル２３ａを温めてもよい。
【００７９】
なお、供給部２３による飛灰Ｈ１の切り出し中に、吹き込み口３３から乾燥空気、温風又は乾燥温風Ａを吹き込んでいると、吹き込まれた気流によって切り出された秤量灰Ｈ２が飛散し溶出槽３１の飛灰投入口３２ａの周囲に付着し成長し、最終的に飛灰投入口３２ａの入口を閉塞させる場合がある。このため、飛灰Ｈ１の切り出し中には、吹き込み口３３からの乾燥空気、温風又は乾燥温風Ａの吹き込みを停止することが好ましい。
【００８０】
［分析・制御部４０］
分析・制御部４０は、溶出部３０から供給された溶出水に含まれる所定成分、例えば所定の重金属成分の量を分析し、この分析結果に基づいて、例えば処理後の飛灰ＨのｐＨが９〜１１となるように、飛灰Ｈに添加する重金属固体化剤の量を決定する。具体的には、分析制御部４０は、溶出部３０での溶出水の調製が終了したことを検出すると、溶出部３０から所定量の溶出水を取り込み、溶出水中の所定の重金属イオンの濃度を検出し、重金属固定化剤の添加率を演算する。そして、飛灰処理に必要な飛灰処理薬液の注入率を算出し、これをパルス信号やアナログ信号（４〜２０ｍＡ）として、薬注ポンプ５に出力する。または、分析・制御部４０は、飛灰移送経路２を移送される飛灰Ｈの流量信号を取得し、飛灰Ｈの流量に重金属固定化剤の添加率を乗じて、飛灰処理に必要な飛灰処理薬液の添加量を算出し、これを薬注ポンプ５に出力する。分析・制御部４０は、分析が終了した時点で、分析に使用した溶出水を排水、洗浄する。排水された溶出水と洗浄水は、混練機３で加湿水として飛灰処理に利用してもよい。
【００８１】
［全体の構成］
上記構成の重金属固体化剤の添加量決定装置１を含む飛灰処理装置においては、計量開始トリガを受けたタイミングで、飛灰移送経路２を移送される飛灰Ｈが採取部１０により採取されて秤量部２０のホッパー部２１へ落とし込まれる。採取部１０から秤量部２０のホッパー部２１内に落とし込まれた飛灰Ｈ１は、供給スクリュー２３ｂの正回転により切り出されて秤量され、溶出部３０の溶出槽３１に投入される。このとき、ホッパー部２１及びホッパー部２１内の飛灰Ｈ１の重量は、ロードセル２２によって計量され、ロードセル２２の計量値が所定の減量値に達した時点で、上述したように、供給スクリュー２３ｂの回転が停止する。溶出部３０では、溶出槽３１内で所定量の秤量灰Ｈ２と溶媒とが混合され、溶出水が調製される。分析・制御部４０では、この溶出水の一部を得て、溶出水を分析し、飛灰処理に必要な重金属固定化剤の添加率又は添加量を演算し、これを薬注ポンプ５に出力する。
【００８２】
一方、秤量部２０では、溶出部３０での溶出水の調製が終了すると、又は分析・制御部４０での溶出水の分析が終了すると、ホッパー部２１内の残余灰Ｈ３を排出部２４により飛灰移送経路２へ排出し、混練機３に送る。また、溶出部３０は、分析・制御部４０が溶出水の分析を終了すると、残った溶出水を排水し洗浄ノズルから洗浄水を注入し洗浄する。これら、残余灰Ｈ３の排出及び溶出槽３１の洗浄が終了したら、次の計量開始トリガを待機し、次の計量開始トリガを受けたら飛灰Ｈの採取工程から上記の動作を繰り返す。計量開始トリガは、残余灰Ｈ３の排出及び溶出槽３１の洗浄が終了したことをもってトリガとしてもよいし、タイマーによって定周期のトリガとしてもよいし、時計によって定時のトリガとしてもよい。さらに、計量開始条件に飛灰処理の運転信号がＯＮの場合、又は、飛灰流量信号が一定の閾値を超えている場合、等を加えてもよい。
【００８３】
このように、上述した添加量決定装置１において、残余灰Ｈ３は、飛灰移送経路２を介して混練機３に送られる。そのため、溶出槽３１内での溶出水の飛灰濃度が高まることがない。よって、溶出槽３１を洗浄するための水量が多く必要になったり、排水を処理する装置が別途必要になったりする等、通常の飛灰処理系とは異なる系で残余灰Ｈ３を処理する必要がなく、残余灰Ｈ３を容易且つ低コストで処理が可能である。
【００８４】
＜変形例１＞
図１に示す飛灰処理装置では、分析・制御部４０が、溶出槽３１から溶出水を取り込んで分析する構成を示したが、この構成に限定されるものではない。図９は、他の実施形態に係る飛灰処理装置の構成を示す構成図である。なお、図９中、図に示す部材と同一部材には、同一符号を付し、説明を省略する。
【００８５】
図９に示す飛灰処理装置の溶出部３０’では、溶出槽３１に備えられたｐＨ電極やイオン電極等のセンサー３６に検出結果に基づき、溶出槽３１に備えられた滴定液投入口から滴定液を投入し、溶出槽３１内の溶出水の重金属イオン濃度を検出する。分析・制御部４０’は、溶出部３０’で検出された重金属イオン濃度から、重金属固定化剤の添加率又は添加量を演算し、これを薬注ポンプ５に出力する。
【００８６】
＜変形例２＞
図１〜図９に示す飛灰処理装置は、残余灰Ｈ３を飛灰移送経路２に排出する例を示したが、残余灰Ｈ３の排出先は、溶出槽３１とは異なる場所であれば特に制限されず、飛灰採取位置よりも飛灰移送方向下流側の位置であればよい。例えば、残余灰Ｈ３は、飛灰移送経路２を介さず、直接混練機３に投入されてもよい。
【００８７】
＜変形例３＞
図１〜図９に示す飛灰処理装置は、飛灰サイロ中の飛灰Ｈを下方に落下させる飛灰移送経路２を経て混練機３に投入する構成であったが、飛灰サイロ中の飛灰Ｈは、バケットコンベアによって搬送されて混練機に投入される構成であってもよい。バケットコンベア上の飛灰Ｈを採取する場合は、バケットコンベアを停止して、バケットから飛灰を容器で採取するか、光センサー等でバケットコンベアに備えられたバケットの動きを検出し、バケットの動きに同期して容器も移動させながら、バケットから飛灰Ｈを容器で採取する。一方、バケットコンベア上に残余灰Ｈ３を排出する場合は、採取位置よりもバケットコンベア移動方向下流側で、水平移動するバケットコンベア上のバケットに残余灰Ｈ３を落とし込むとよい。垂直移動するバケットコンベア上のバケットに残余灰Ｈ３を落とし込む場合には、バケットコンベアを停止してバケット内に残余灰Ｈ３を落とし込むか、バケットの動きに同期してバケット内に残余灰Ｈ３を落とし込むとよい。
【００８８】
＜変形例４＞
図１〜図９に示す飛灰処理装置（添加量決定装置１）は、飛灰サイロ中の重金属固定化剤添加前の飛灰Ｈへの重金属固定化剤の添加量を決定する構成であったが、飛灰は、既に重金属固定化剤が投入された後の飛灰であってもよい。この場合には、分析・制御部４０によって、溶出水中の重金属固定化剤残存量を分析し、この分析結果に基づき、飛灰に添加する重金属固定化剤の量を制御するようにしてもよい。
【符号の説明】
【００８９】
１  添加量決定装置
２  飛灰移送経路
３  混練機
４  飛灰処理薬液タンク
５  薬注ポンプ
１０  採取部
１１  退避部
１２  案内部
１３  カップ
１４  エアシリンダー
１５  ロータリーアクチュエーター
１６  バイブレーター
１７  吹き込み口
２０  秤量部
２１  ホッパー部
２２  ロードセル
２３  供給部
２３ａ  供給ノズル
２３ｂ  供給スクリュー
２４  排出部
２４ａ  排出ノズル
２４ｂ  排出スクリュー
２５  アジテーター
２６  架台
２７  制御部
３０  溶出部
３１  溶出槽
３２  蓋体  ３３  カバー
３４  吹き込み口
３５  吸引口
４０  分析・制御部
【図１】
2018038951.tif 000003
【図２】
2018038951.tif 000004
【図３】
2018038951.tif 000005
【図４】
2018038951.tif 000006
【図５】
2018038951.tif 000007
【図６】
2018038951.tif 000008
【図７】
2018038951.tif 000009
【図８】
2018038951.tif 000010
【図９】
2018038951.tif 000011
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
飛灰移送経路から、所定量の飛灰を秤量する秤量部と、
前記所定量の飛灰を溶媒に溶出させ、溶出水を得る溶出部と、
前記溶出水に含まれる所定成分の量に基づいて、前記飛灰に添加する重金属固定化剤の量を決定する添加量決定部と、
前記秤量部に残存する残余灰を前記溶出部とは異なる場所に排出する排出部とを備え、
前記排出部は、前記添加量決定部によって前記飛灰に添加する重金属固定化剤の量が決定された場合であっても、前記残余灰を前記溶出部とは異なる場所に排出し、
前記秤量部は、
飛灰を収容する飛灰収容部と、
前記飛灰収容部内の飛灰を前記溶出部へ供給する供給部と、
前記飛灰収容部から加わる荷重を計量する荷重計量部と、
前記供給部及び前記荷重計量部に電気的に接続される制御部とを含み、
前記制御部は、
前記飛灰収容部の振動情報を受信する振動受信手段と、
前記振動受信手段が振動受信情報を受信中であるか否かを判別する振動受信判別手段と、
前記振動受信判別手段によって受信中でないと判別された場合に、前記荷重計量部に対して風袋引き指令信号を送信する風袋引き指令手段とを有する、
飛灰への重金属固定化剤の添加量決定装置。
【請求項２】
前記排出部は、前記残余灰を前記飛灰移送経路に排出する、
請求項１に記載の重金属固定化剤の添加量決定装置。
【請求項３】
前記添加量決定部は、前記飛灰移送経路中の飛灰の流量に前記重金属固定化剤の添加率を乗じて、前記重金属固定化剤の添加量を決定する、
請求項１又は２に記載の重金属固定化剤の添加量決定装置。
【請求項４】
前記制御部は、
前記風袋引き指令手段によって風袋引き指令信号が送信された場合に、前記供給部の駆動の開始を指令する駆動開始指令信号を送信する駆動開始指令手段と、
前記駆動開始指令手段によって駆動開始指令信号が送信された場合に、前記荷重計量部からの計量値を取得する計量値取得手段と、
前記計量値取得手段が取得した計量値が所定の減量値に達しているか否かを判別する計量値判別手段と、
前記計量値判別手段によって、前記計量値取得手段が取得した計量値が所定の減量値に達していると判別された場合に、前記供給部の駆動の停止を指令する駆動停止指令信号を送信する駆動停止指令手段と、
前記供給部の駆動停止後、前記振動受信判別手段によって受信中でないと判別された場合に、前記荷重計量部からの計量値を再取得する計量値再取得手段と、
前記計量値再取得手段が取得した計量値が所定の減量値に達しているか否かを判別する計量値再判別手段と、
前記計量値再判別手段によって、前記計量値再取得手段が再取得した計量値が所定の減量値に達していないと判別された場合に、前記駆動開始指令信号を再び送信する駆動開始再指令手段と、
前記計量値再判別手段によって、前記計量値再取得手段が再取得した計量値が所定の減量値に達していると判別された場合に、前記計量値再取得手段による計量値の取得を終了する計量終了手段とをさらに有する、
請求項１から３何れかに記載の重金属固定化剤の添加量決定装置。
【請求項５】
前記供給部は、スクリューと、前記スクリューの上方に配置されるアジテーターとを有する、請求項１から４何れかに記載の重金属固定化剤の添加量決定装置。
【請求項６】
前記溶出部は、前記溶出水を収容する溶出槽と、前記溶出槽を閉塞可能な蓋体と、前記蓋体の一部に開口された飛灰投入口と、前記供給部の飛灰供給口と前記飛灰投入口との間の空間を覆うカバーをさらに備え、
前記カバーには、内部に、乾燥空気、温風、又は乾燥温風を吹き込む乾燥手段が設けられている、請求項１から５何れかに記載の重金属固定化剤の添加量決定装置。
【請求項７】
前記溶出部は、前記溶出水を収容する溶出槽と、前記溶出槽を閉塞可能な蓋体と、前記蓋体の一部に開口された吸引口と、前記吸引口から前記溶出槽内の空気を引き抜く吸引手段をさらに備えている、請求項１から６何れかに記載の重金属固定化剤の添加量決定装置。
【請求項８】
前記秤量部は、内部にある飛灰を収容する飛灰収容部を有し、
前記飛灰収容部の前記飛灰と接触する部材の少なくとも一部には、フッ素樹脂加工が施されてなる、請求項１から７何れかに記載の重金属固定化剤の添加量決定装置。
【請求項９】
前記飛灰移送経路から所定量の飛灰を採取し、前記秤量部に供給する採取部をさらに備える、請求項１から８何れかに記載の重金属固定化剤の添加量決定装置。
【請求項１０】
前記採取部の前記飛灰と接触する部材の少なくとも一部には、フッ素樹脂加工が施されてなる、請求項９に記載の重金属固定化剤の添加量決定装置。
【請求項１１】
前記採取部は、内部に、乾燥空気、温風、又は乾燥温風を吹き込む乾燥手段を有する、請求項９又は１０に記載の重金属固定化剤の添加量決定装置。
【請求項１２】
前記採取部は、前記採取部を揺動するバイブレーターをさらに含む、請求項９から１１何れかに記載の重金属固定化剤の添加量決定装置。